【手続補正書】
【提出日】平成18年8月10日(2006.8.10)
【手続補正１】
【補正対象書類名】明細書
【補正対象項目名】発明の名称
【補正方法】変更
【補正の内容】
【発明の名称】用紙積載装置及び画像形成装置
【手続補正２】
【補正対象書類名】明細書
【補正対象項目名】００１０
【補正方法】変更
【補正の内容】
【００１０】
上記目的を達成するために、請求項１記載の発明では、用紙の後端を揃えるエンドフェンスを有する排紙トレイと、該排紙トレイを上下移動可能に支持する支持部材と、該排紙トレイを上下方向に移動させる駆動源を有し、該排紙トレイが排紙ローラによって用紙が排出される排紙口を上下方向に通過移動する用紙積載装置において、上記排紙トレイを上下方向に移動させる前に、上記排紙ローラの回転駆動を開始する、という構成を採っている。
【手続補正３】
【補正対象書類名】明細書
【補正対象項目名】００１１
【補正方法】変更
【補正の内容】
【００１１】
請求項２記載の発明では、画像形成装置において、請求項１記載の用紙積載装置を有する、という構成を採っている。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】削除
【補正の内容】
【手続補正４３】
【補正対象書類名】明細書
【補正対象項目名】００５１
【補正方法】削除
【補正の内容】
【手続補正４４】
【補正対象書類名】明細書
【補正対象項目名】００５２
【補正方法】削除
【補正の内容】
【手続補正４５】
【補正対象書類名】明細書
【補正対象項目名】００５３
【補正方法】削除
【補正の内容】
【手続補正４６】
【補正対象書類名】明細書
【補正対象項目名】００５４
【補正方法】削除
【補正の内容】
【手続補正４７】
【補正対象書類名】明細書
【補正対象項目名】００５５
【補正方法】削除
【補正の内容】
【手続補正４８】
【補正対象書類名】明細書
【補正対象項目名】００５６
【補正方法】削除
【補正の内容】
【手続補正４９】
【補正対象書類名】明細書
【補正対象項目名】００５７
【補正方法】削除
【補正の内容】
【手続補正５０】
【補正対象書類名】明細書
【補正対象項目名】００５８
【補正方法】削除
【補正の内容】
【手続補正５１】
【補正対象書類名】明細書
【補正対象項目名】００５９
【補正方法】削除
【補正の内容】
【手続補正５２】
【補正対象書類名】明細書
【補正対象項目名】００６０
【補正方法】削除
【補正の内容】
【手続補正５３】
【補正対象書類名】明細書
【補正対象項目名】００６１
【補正方法】削除
【補正の内容】
【手続補正５４】
【補正対象書類名】明細書
【補正対象項目名】００６２
【補正方法】削除
【補正の内容】
【手続補正５５】
【補正対象書類名】明細書
【補正対象項目名】００６３
【補正方法】削除
【補正の内容】
【手続補正５６】
【補正対象書類名】明細書
【補正対象項目名】００６４
【補正方法】削除
【補正の内容】
【手続補正５７】
【補正対象書類名】明細書
【補正対象項目名】００６５
【補正方法】削除
【補正の内容】
【手続補正５８】
【補正対象書類名】明細書
【補正対象項目名】００６６
【補正方法】削除
【補正の内容】
【手続補正５９】
【補正対象書類名】明細書
【補正対象項目名】００６７
【補正方法】削除
【補正の内容】
【手続補正６０】
【補正対象書類名】明細書
【補正対象項目名】００６８
【補正方法】削除
【補正の内容】
【手続補正６１】
【補正対象書類名】明細書
【補正対象項目名】００６９
【補正方法】削除
【補正の内容】
【手続補正６２】
【補正対象書類名】明細書
【補正対象項目名】００７０
【補正方法】削除
【補正の内容】
【手続補正６３】
【補正対象書類名】明細書
【補正対象項目名】００７１
【補正方法】削除
【補正の内容】
【手続補正６４】
【補正対象書類名】明細書
【補正対象項目名】００７２
【補正方法】変更
【補正の内容】
【００７２】
本発明によれば、用紙が乱れて排紙ローラに乗ったりすること等に起因する、排紙トレイの通過移動に伴う用紙の傷付けや排紙トレイの移動が妨げられることを防止することができる。
【手続補正６５】
【補正対象書類名】明細書
【補正対象項目名】００７３
【補正方法】変更
【補正の内容】
【００７３】
以下、本発明の一実施の形態を図１乃至図１６に基づいて説明する。まず、参考例を説明する。ここで、図１，２は用紙積載装置としてのフィニッシャ（用紙後処理装置）の全体概要図で、図３乃至図７はステイプルユニット関係の図、図８は下側の排紙トレイ（以下、排紙トレイ２という）が排紙口Ｅ２の受取位置にセットされている場合の排紙トレイの昇降機構の概要正面図、図９は上部排紙トレイ（以下、排紙トレイ１という）が排紙口Ｅ２の受取位置にセットされている場合の排紙トレイの昇降機構の概要正面図、図１０は排紙トレイの昇降機構の概要側面図、図１１は排紙トレイ２の駆動機構の斜視図、図１２は排紙トレイ１が排紙口を通過移動可能な状態の平面図及び側面図、図１３は排紙トレイ１が排紙口の受取位置に位置した状態の平面図、図１４は排紙トレイ１及びそのエンドフェンスの要部断面図、図１５はその要部の分解斜視図、図１６は排紙トレイ２のシフト構成を示す斜視図、図１７は排紙トレイ２のシフト構成の動作を示す斜視図、図１８は制御ブロック図である。
【手続補正６６】
【補正対象書類名】明細書
【補正対象項目名】０１０６
【補正方法】変更
【補正の内容】
【０１０６】
本参考例ではオフセットスタックを排紙トレイ１，２自体のシフト動作（排紙トレイ１のシフト動作については後述）で実現しているが、例えば搬送ローラあるいは排紙ローラをシフト動作させることで用紙を搬送中にシフトさせることも可能である。また、排紙トレイ２におけるオフセットスタックは、ステイプルユニット６０のジョガーフェンスを利用した方法も考えられる。また、これらの方法を組み合わせることも可能である。
【手続補正６７】
【補正対象書類名】明細書
【補正対象項目名】０１１１
【補正方法】変更
【補正の内容】
【０１１１】
次に、制御手段１００による排紙トレイ１，２の制御動作を説明する。
まず、排紙トレイ１，２のイニシャル動作（ホーミング動作）について説明する。排紙トレイ１のホームポジション（電源投入時の位置）は、図１に示すように、排紙トレイ１の積載面上端又は積載された用紙上面が退避位置検知センサーＳＮ５に検知された位置、排紙トレイ２は紙面検知センサーＳＮ６によりその積載面上端又は積載された用紙の上面が検知された位置である（以下の他の参考例及び実施形態において同じ）。
このイニシャル動作を図１９のフローチャートに基づいて説明する。なお、以降のフローチャートにおいては、単に排紙トレイ１をトレイ１と、排紙トレイ２をトレイ２と略記する。
まず、排紙トレイ１を排紙口Ｅ１の受取位置にセットするため制御手段１００は退避位置検知センサーＳＮ５をチェックし（Ｓ１）、オフであればクラッチ１１６をオンして排紙トレイ１に対するエンドフェンス１ａの上方移動をロックし（Ｓ２）、その後排紙トレイ１を上昇させる（Ｓ３）。ロックしないとエンドフェンス１ａがバネ１００の付勢力で急激に突出し、部品の破損や事故を生じる危険性があるからである。
【手続補正６８】
【補正対象書類名】明細書
【補正対象項目名】０１１８
【補正方法】変更
【補正の内容】
【０１１８】
本参考例では、上述のように、排紙トレイ２を排紙口Ｅ２の受取位置に位置させるための検知手段としての紙面検知センサーＳＮ６を、排紙トレイ１を排紙口Ｅ２の受取位置に位置させるための検知手段として共用している。
【手続補正６９】
【補正対象書類名】明細書
【補正対象項目名】０１２７
【補正方法】変更
【補正の内容】
【０１２７】
次に、図２４に基づいて、カムを用いて排紙トレイ１を用紙排出方向にスライドさせる方式の変形例を説明する。なお、上記参考例と同一部分は同一符号で示し、要部のみ説明する。また、特に必要がない限り既にした構成、機能上の説明は省略する。
本参考例におけるベース部材５７では、スライドベース５０が側板３９ａ，３９ｂに対して用紙排出方向前方側が上がるように傾斜した状態に固定されたスライドレール５３に支持されており、排紙トレイ１もこれに対応した形状となっている。
傾斜の角度θは、排紙トレイ１がその自重により用紙排出方向上流側へスライドするように設定されている。
かかる構成により、排紙トレイ１は少なくともその自重によりカム８１へ押圧されている。
【手続補正７０】
【補正対象書類名】明細書
【補正対象項目名】０１２８
【補正方法】変更
【補正の内容】
【０１２８】
排紙トレイ１が下方へ移動して排紙口Ｅ２を通過する動作において、ガイドコロ８０がカム８１の傾斜部８１ｂに進入した時点から排紙トレイ１の自重で排紙トレイ１は用紙排出方向上流側へその姿勢を保ったままスライドし始め、最終的に排紙口Ｅ２に用紙を受取可能に位置付けられる。排紙トレイ１の移動におけるクラッチ１１６のオン・オフ制御等は上記参考例と同様である。
本参考例によれば、上記参考例に比べてバネ５４が不要であるので、構成の簡易化、低コスト化を実現できる利点がある。
【手続補正７１】
【補正対象書類名】明細書
【補正対象項目名】０１２９
【補正方法】変更
【補正の内容】
【０１２９】
排紙トレイ１が水平移動する最初の参考例において、バネ５４を使用せずに磁力で排紙トレイ１をカム８１へ押圧する構成とすることもできる。例えば、カム８１のカム面に帯板状の磁石（例えばマグネットシート）を固定してこの磁石の用紙排出方向前面をカム面とし、ガイドコロ８０を強磁性体で形成する。勿論、カム８１全体を磁石としてもよく、カム８１のカム面のみを磁化してもよい。
また、逆にガイドコロ８０を磁石で形成し、カム８１を強磁性体で形成してもよい。
また、上記傾斜移動の構成において磁力構成を付加し、カム８１のカム面とガイドコロ８０の圧接状態を確実にする構成としてもよい。
【手続補正７２】
【補正対象書類名】明細書
【補正対象項目名】０１３０
【補正方法】変更
【補正の内容】
【０１３０】
上記各参考例では、排紙トレイ１をカム８１によって用紙排出方向にスライドさせる方式を示したが、排紙ローラ対９との干渉を回避するための駆動源を設け、該駆動源の制御によって排紙トレイ１をスライドさせる方式も採用することができる。
その一例を、図２５乃至図２９に基づいて説明する。なお、上記参考例と同一部分は同一符号で示し、要部のみ説明する。また、特に必要がない限り既にした構成、機能上の説明は省略する。
本参考例では、排紙トレイ１を用紙排出方向にスライドさせる駆動源を、排紙トレイ１を上下方向に移動させる駆動源としての上下モータ５５とは独立した別個のものとしている。
【手続補正７３】
【補正対象書類名】明細書
【補正対象項目名】０１３１
【補正方法】変更
【補正の内容】
【０１３１】
本参考例における排紙トレイ１は、図２４で示した参考例と同様に自重で用紙排出方向上流側にスライドできる構成となっている。
また、用紙の仕分けスタックを可能にすべく、排紙トレイ１を用紙排出方向と略直交する用紙幅方向にスライド可能に設けており、さらに、排紙トレイ１を用紙幅方向にスライドさせる駆動源を、排紙トレイ１を用紙排出方向にスライドさせる駆動源が兼ねる構成を特徴としている。すなわち、１つの駆動源（スライドモータ４９）を用いて排紙トレイ１のスライド動作とシフト動作が行える構成となっている。
【手続補正７４】
【補正対象書類名】明細書
【補正対象項目名】０１３３
【補正方法】変更
【補正の内容】
【０１３３】
図２７に示すように、本参考例におけるスライドベース５０は、排紙トレイ１を用紙排出方向にスライドさせる駆動源としての正逆転可能なスライドモータ４９及びベルト１５を介して回転されるクランクプーリ４８により駆動され、用紙排出方向にスライド運動をする。また、スライドベース５０はシャフト５１に対して用紙幅方向にスライド自在に支持されている。
スライドベース５０には用紙の排出方向に延びる長孔５０ｂが形成されており、この長孔５０ｂにクランクプーリ４８に形成された偏心ピン４８ａが係合している。
【手続補正７５】
【補正対象書類名】明細書
【補正対象項目名】０１３４
【補正方法】変更
【補正の内容】
【０１３４】
スライドベース５０の停止位置は、スライドセンサーＳＮ１３と、このスライドセンサーＳＮ１３の位置からクランクプーリ４８の回転面上で略９０°用紙排出方向下流側へずれた位置に設けられた前シフトセンサーＳＮ１６、スライドセンサーＳＮ１３の位置からクランクプーリ４８の回転面上で略９０°用紙排出方向上流側へずれた位置に設けられた後シフトセンサーＳＮ１７により監視されるようになっている。この監視は、クランクプーリ４８に形成された検知片４８ｂによるスライドセンサーＳＮ１３，前シフトセンサーＳＮ１６，後シフトセンサーＳＮ１７のオン・オフによってなされる。
排紙トレイ１の検知にトレイ１検知センサーＳＮ１８を用いる点は最初の参考例と同様である。
【手続補正７６】
【補正対象書類名】明細書
【補正対象項目名】０１４０
【補正方法】変更
【補正の内容】
【０１４０】
次に、本参考例における制御手段１００による排紙トレイ１，２の制御動作を説明する。
まず、排紙トレイ１，２のイニシャル動作を図３０のフローチャート（図１９相当）に基づいて説明する。
まず、排紙トレイ１を排紙口Ｅ１の受取位置にセットするため制御手段１００は退避位置検知センサーＳＮ５をチェックし（Ｓ８０１）、オフであればエンドフェンス１ａの急激な突出を防止するために、まずクラッチ１１６をオンして排紙トレイ１に対するエンドフェンス１ａの上方移動をロックし（Ｓ８０２）、スライドセンサーＳＮ１３をチェックする（Ｓ８０３）。スライドセンサーＳＮ１３がオフの場合にはスライドモータ４９をＮ方向に回転させ（Ｓ８０４）、引き続きスライドセンサーＳＮ１３をチェックする（Ｓ８０５）。
【手続補正７７】
【補正対象書類名】明細書
【補正対象項目名】０１５０
【補正方法】変更
【補正の内容】
【０１５０】
本参考例では、排紙トレイ１が自重で用紙排出方向上流側へスライドする構成であるので、排紙トレイ１は排紙口Ｅ１，Ｅ２の受取位置にセットされた場合、自重で用紙排出方向のガタツキが防止され、また用紙排出方向のスライド動作においてもガタツキが防止される。このガタツキ防止機能を得るために、最初の参考例と同様に水平スライド方式で且つバネ５４を有する構成としてもよい。
また、本参考例では排紙トレイ１のスライド動作の駆動源であるスライドモータ４９が、排紙トレイ１のシフト動作の駆動源を兼ねる構成としたが、別個に独立した駆動源を用いてもよい。
【手続補正７８】
【補正対象書類名】明細書
【補正対象項目名】０１５１
【補正方法】変更
【補正の内容】
【０１５１】
上記参考例では、排紙トレイ１の用紙排出方向のスライド動作に加えて、用紙幅方向にシフト動作ができる構成としたが、シフト動作を有しないタイプを図３４及び図３５に基づいて説明する。なお、上記参考例と同一部分は同一符号で示し、要部のみ説明する。シフト動作に関する部分以外は上記参考例と同様である。また、特に必要がない限り既にした構成、機能上の説明は省略する。
【手続補正７９】
【補正対象書類名】明細書
【補正対象項目名】０１５２
【補正方法】変更
【補正の内容】
【０１５２】
図３４に示すように、本参考例におけるスライドベース５０は、排紙トレイ１を用紙排出方向にスライドさせる駆動源としての正逆転可能なスライドモータ４９及びベルト１５を介して回転されるクランクプーリ４８により駆動され、用紙排出方向にスライド運動をする。スライドベース５０には用紙の幅方向に延びる長孔５０ｂが形成されており、この長孔５０ｂにクランクプーリ４８に形成された偏心ピン４８ａが係合している。
スライドベース５０の停止位置はスライドセンサーＳＮ１３と、このスライドセンサーＳＮ１３の位置からクランクプーリ４８の回転面上で略９０°用紙排出方向上流側へずれた位置に設けられたスライドセンサーＳＮ１９により監視されるようになっている。この監視は、クランクプーリ４８に形成された検知片４８ｂによるスライドセンサーＳＮ１３，１９のオン・オフによってなされる。
【手続補正８０】
【補正対象書類名】明細書
【補正対象項目名】０１５３
【補正方法】変更
【補正の内容】
【０１５３】
図３４は、上記参考例の図２５と同様に、排紙トレイ１が排紙口Ｅ１の受取位置にセットされ、排紙トレイ２が排紙口Ｅ２の受取位置にセットされた状態を示している。この状態は、クランクプーリ４８の検知片４８ｂがスライドセンサーＳＮ１３をオンさせた状態であり、図３４に示すように、用紙排出方向における排紙トレイ１のエンドフェンス１ａと排紙ローラ対９との間には若干の隙間ｇが生じている。
この状態から、上記参考例の図２６で示したのと同様に、排紙トレイ２を待機位置に待機させ、排紙トレイ１を排紙口Ｅ２の用紙受取位置にセットする場合、排紙トレイ１が排紙口Ｅ２を上方から下方へ通過する移動において、排紙トレイ１は、スライドセンサーＳＮ１３がオンした位置に維持され、これにより排紙ローラ対９と干渉することなく通過する。
【手続補正８１】
【補正対象書類名】明細書
【補正対象項目名】０１５５
【補正方法】変更
【補正の内容】
【０１５５】
スライドモータ４９が矢印Ｒ方向に回転すると、クランクプーリ４８が同方向に回転するため、排紙トレイ１は偏心ピン４８ａの移動に伴って自重により用紙排出方向上流側へスライドし、図３５に示すように、クランクプーリ４８が９０°回転したとき、検知片４８ｂがスライドセンサーＳＮ１９をオンさせた位置で停止する。これにより、排紙トレイ１のエンドフェンス１ａと排紙ローラ対９の駆動ローラ９ａがオーバーラップし、排紙トレイ１が排紙口Ｅ２の受取位置にセットされる。
なお、本参考例では排紙トレイ１のシフト動作はなされないので、用紙幅方向への円滑なスライドを得るためのコロ１４２、１４４は必要ではなく、最初の参考例で示したガイドコロ８０のみでよい。
【手続補正８２】
【補正対象書類名】明細書
【補正対象項目名】０１５６
【補正方法】変更
【補正の内容】
【０１５６】
次に、本参考例における制御手段１００による排紙トレイ１，２の制御動作を説明する。
まず、排紙トレイ１，２のイニシャル動作を図３６のフローチャート（図１９相当）に基づいて説明する。
まず、排紙トレイ１を排紙口Ｅ１の受取位置にセットするため制御手段１００は退避位置検知センサーＳＮ５をチェックし（Ｓ５０１）、オフであればクラッチ１１６をオンし、排紙トレイ１に対するエンドフェンス１ａの上方移動をロックする（Ｓ５０２）。ロックしないとエンドフェンス１ａがバネ１００の付勢力で急激に突出し、部品の破損や事故を生じる危険性があるからである。
次にスライドセンサーＳＮ１３をチェックし（Ｓ５０３）、スライドセンサーＳＮ１３がオフの場合にはエンドフェンス１ａのコロ１４２を傾斜部１４０ａから出すべくスライドモータ４９をＲ方向と逆方向に回転させ（Ｓ５０４）、引き続きスライドセンサーＳＮ１３をチェックする（Ｓ５０５）。
【手続補正８３】
【補正対象書類名】明細書
【補正対象項目名】０１６５
【補正方法】変更
【補正の内容】
【０１６５】
本参考例では、排紙トレイ１が自重で用紙排出方向上流側へスライドする構成であるので、排紙トレイ１は排紙口Ｅ１，Ｅ２の受取位置にセットされた場合、自重で用紙排出方向のガタツキが防止され、また用紙排出方向のスライド動作においてもガタツキが防止される。このガタツキ防止機能を得るために、最初の参考例と同様に水平スライド方式で且つバネ５４を有する構成としてもよい。
また、本参考例では、排紙トレイ１を用紙排出方向にスライドさせる駆動源を、排紙トレイ１を上下方向に移動させる駆動源としての上下モータ５５とは独立した別個のものとしたが、排紙トレイ１のスライド時は上下移動はなされないので、上下モータ５５の駆動力を利用して排紙トレイ１をスライドさせる構成とすることもできる。
【手続補正８４】
【補正対象書類名】明細書
【補正対象項目名】０１６６
【補正方法】変更
【補正の内容】
【０１６６】
次に、本発明の実施形態を説明する。
上記各参考例では排紙トレイ１の移動と排紙口Ｅ２における排紙ローラ対９（排紙ローラ）との関係は示さなかったが、上述のように、仕分け利用者が複数いる場合には排紙トレイ１上の用紙の抜き差しが頻繁に行われて積載状態が乱れて排紙ローラ対９に乗ったりすることが予想され、このような状態で排紙トレイ１が排紙口Ｅ２を通過すると、用紙を傷付けたり、排紙トレイ１の通過移動が阻害される懸念がある。
そこで、排紙トレイ１を上下方向に移動させる前に、排紙ローラ対９の回転駆動を開始するようにする。排紙ローラ対９を回転駆動すると、排紙ローラ対９に乗ったり引っ掛かったりしていた用紙は排紙トレイ１に完全に排出されるため、その後に排紙トレイ１を移動させれば上記問題を防止できる。
【手続補正８５】
【補正対象書類名】明細書
【補正対象項目名】０１６７
【補正方法】変更
【補正の内容】
【０１６７】
その制御動作の一例を図３９フローチャートに基づいて説明する。これは図２３のフローチャートでの制御への適用であり、図２３で説明した部分は省略する。まず、排紙トレイ１の位置フラグを判断する前に排紙ローラ対９を回転駆動し（Ｓ４００）、排紙トレイ１の位置フラグのセット（Ｓ４１７）が終了してから排紙ローラ対９の回転駆動を停止する（Ｓ４１８）。この排紙ローラ対９を排紙トレイ１を移動させる前に回転駆動する制御は、上記各参考例の全ての制御において有効である。排紙口Ｅ１の排紙ローラ対７についても同様である。
【手続補正８６】
【補正対象書類名】明細書
【補正対象項目名】０１６８
【補正方法】変更
【補正の内容】
【０１６８】
上記各参考例及び実施形態において、排紙トレイ１はガイドコロ５２とガイドレール５３とで支持されているのでスライド時の摩擦抵抗が少なく、小さな力で移動可能であり、比較的安価な構成となる。スライド動作の駆動源を有する構成では、該駆動源の消費電力の抑制も図ることができる。
【手続補正８７】
【補正対象書類名】明細書
【補正対象項目名】０１６９
【補正方法】変更
【補正の内容】
【０１６９】
上記各参考例及び実施形態では、用紙積載装置としての用紙後処理装置での発明の実施を示したが、用紙後処理装置が付設されない画像形成装置の場合にも同様に実施することができる。
【手続補正８８】
【補正対象書類名】明細書
【補正対象項目名】０１７０
【補正方法】変更
【補正の内容】
【０１７０】
【図１】本発明の一参考例に係る用紙積載装置としての用紙後処理装置の概要正面図で、下側の排紙トレイを排紙口Ｅ２の受取位置にセットした状態の図である。
【図２】上部排紙トレイを排紙口Ｅ２の受取位置にセットした状態の用紙後処理装置の概要正面図である。
【図３】ステイプルユニットの斜視図である。
【図４】ステイプルユニットにおける叩き動作を示す概要正面図である。
【図５】ステイプルユニットの斜視図である。
【図６】ステイプルユニットの排出動作を示す斜視図である。
【図７】放出ベルトのホームポジション検知構成を示す斜視図である。
【図８】下側の排紙トレイが排紙口Ｅ２の受取位置にセットされている状態の排紙トレイの昇降機構の概要正面図である。
【図９】上部排紙トレイが排紙口Ｅ２の受取位置にセットされている状態の排紙トレイの昇降機構の概要正面図である。
【図１０】排紙トレイの昇降機構の概要側面図である。
【図１１】下側の排紙トレイの駆動機構を示す斜視図である。
【図１２】上部排紙トレイが排紙口を通過移動可能な状態を示す図で、（ａ）は概要平面図、（ｂ）は概要側面図である。
【図１３】上部排紙トレイが排紙口の受取位置にセットされた状態の概要平面図である。
【図１４】上部排紙トレイに対するエンドフェンスの支持構成を示す概要正面図である。
【図１５】上部排紙トレイに対するエンドフェンスの支持構成を示す要部斜視図である。
【図１６】下側の排紙トレイのシフト構成を示す斜視図である。
【図１７】下側の排紙トレイのシフト構成を示す斜視図である。
【図１８】制御ブロック図である。
【図１９】排紙トレイのイニシャル動作を示すフローチャートである。
【図２０】上部排紙トレイを排紙口Ｅ２の受取位置にセットするための動作を示すフローチャートである。
【図２１】排紙口Ｅ２に位置する上部排紙トレイを該排紙口Ｅ２に再セットする動作を示すフローチャートである。
【図２２】排紙口Ｅ１の受取位置にセットされた上部排紙トレイを該排紙口の受取位置に再セットする動作を示すフローチャートである。
【図２３】排紙口Ｅ２の受取位置にセットされた上部排紙トレイを排紙口Ｅ１の受取位置にセットするための動作を示すフローチャートである。
【図２４】カムを用いてスライドさせる例の変形例を示す要部正面図である。
【図２５】上部排紙トレイを用紙排出方向にスライドさせ且つシフト動作させる例を示す要部正面図である。
【図２６】図２５で示した例で上部排紙トレイを排紙口Ｅ２の受取位置にセットした状態の要部正面図である。
【図２７】図２５で示した例で上部排紙トレイを排紙口Ｅ１の受取位置にセットした状態を示す図で、（ａ）は概要平面図、（ｂ）は概要側面図である。
【図２８】図２５で示した例で上部排紙トレイを排紙口Ｅ２の受取位置にセットした状態の概要平面図である。
【図２９】図２５で示した例における制御ブロック図である。
【図３０】図２５で示した例で排紙トレイのイニシャル動作を示すフローチャートである。
【図３１】図２５で示した例で上部排紙トレイを排紙口Ｅ２の受取位置にセットするための動作を示すフローチャートである。
【図３２】図２５で示した例で排紙口Ｅ２の受取位置にセットされた上部排紙トレイを排紙口Ｅ１の受取位置にセットするための動作を示すフローチャートである。
【図３３】図２５で示した例で上部排紙トレイのシフト動作を示すフローチャートである。
【図３４】シフト動作を有しない例で上部排紙トレイが排紙口Ｅ２を通過可能状態にある場合の図で、（ａ）は概要平面図、（ｂ）は概要側面図である。
【図３５】図３４で示した例で上部排紙トレイが排紙口Ｅ２の受取位置にセットされた状態の概要平面図である。
【図３６】図３４で示した例で排紙トレイのイニシャル動作を示すフローチャートである。
【図３７】図３４で示した例で上部排紙トレイを排紙口Ｅ２の受取位置にセットするための動作を示すフローチャートである。
【図３８】図３４で示した例で排紙口Ｅ２の受取位置にセットされた上部排紙トレイを排紙口Ｅ１の受取位置にセットするための動作を示すフローチャートである。
【図３９】本発明の実施形態を示す図で、排紙トレイを上下方向に移動させる前に排紙ローラを駆動する例の一例としてのフローチャートである。